(57)【要約】【課題】複数のアンテナを備えた構造を有し、ユーザの通信時における使用状況の如何に拘わらず、必要な受信品質を維持しつつ消費電力を低減することができる無線通信装置及び方法を提供する。【解決手段】第１筐体、及び当該第１筐体に対し開閉自在に連結された第２筐体を備え、第１筐体及び第２筐体のそれぞれに１個以上設置された複数のアンテナを有する無線通信装置において、第１筐体１７ａと第２筐体１７ｂの開閉動作に基づく筐体状態を検出する筐体状態検出部１５と、無線信号の受信及び／または送信において、複数のアンテナ１１ａ〜１１ｃの少なくとも一つを制御するアンテナ制御部１２と、筐体状態検出部１５において検出された筐体状態に応じ、アンテナ制御部１２における受信制御タイミングを調整するタイミング調整部１６とを有する。【選択図】図１
2009267800.tif 000002
【特許請求の範囲】
【請求項１】
第１筐体、及び当該第１筐体に対し開閉自在に連結された第２筐体を備え、前記第１筐体及び前記第２筐体のそれぞれに１個以上設置された複数のアンテナを有する無線通信装置において、
前記第１筐体と前記第２筐体の開閉動作に基づく筐体状態を検出する筐体状態検出部と、
無線信号の受信及び／または送信において、前記複数のアンテナの少なくとも一つを制御するアンテナ制御部と、
前記筐体状態検出部において検出された筐体状態に応じ、前記アンテナ制御部における制御タイミングを調整するタイミング調整部と
を有することを特徴とする無線通信装置。
【請求項２】
前記複数のアンテナを介して受信された無線信号の品質に関する情報を取得する受信品質取得部を更に備え、
前記タイミング調整部は、前記受信品質取得部において取得された受信品質情報に基づいて前記制御タイミングを調整することを特徴とする請求項１に記載の無線通信装置。
【請求項３】
前記タイミング調整部は、
受信開始時、前記筐体状態検出部において検出された筐体状態に応じて初期制御タイミングを設定し、受信開始後、前記受信品質取得部において取得された受信品質情報に基づき前記初期制御タイミングを調整することを特徴とする請求項２に記載の無線通信装置。
【請求項４】
前記受信品質取得部において取得された受信品質情報に基づき、前記アンテナ制御部による制御を行うか否かを判定する判定部を有し、
前記判定部における判定結果から、前記アンテナ制御部が制御を行う場合、前記タイミング調整部において調整された制御タイミングで制御を行うことを特徴とする請求項２または３に記載の無線通信装置。
【請求項５】
前記判定部は、
前記受信品質情報を示す値が、受信品質の改善効果が得られる品質改善区間にある場合、前記アンテナ制御部による制御を行うことを特徴とする請求項４に記載の無線通信装置。
【請求項６】
前記品質改善領域は、
受信データから判定された通信種別に応じて設定されることを特徴とする請求項５に記載の無線通信装置。
【請求項７】
前記アンテナ制御部は、
ダイバーシティ受信及びダイバーシティ送信の少なくとも一方を制御することを特徴とする請求項１から６のいずれか一項に記載の無線通信装置。
【請求項８】
第１筐体及び当該第１筐体に対し開閉自在に連結された第２筐体を備え、前記第１筐体及び前記第２筐体のそれぞれに１個以上設置された複数のアンテナを介して無線通信する無線通信方法において、
前記第１筐体と前記第２筐体の開閉動作に基づく筐体状態を検出する処理と、
無線信号の受信及び／または送信において、前記複数のアンテナの少なくとも一つを制御する処理と、
検出した筐体状態に応じ、受信制御タイミングを調整する処理と
を有することを特徴とする無線通信方法。
【発明の詳細な説明】
【技術分野】
【０００１】
この発明は、複数のアンテナを備えた構造を有する場合に、必要な受信品質を維持するため、これら複数のアンテナを制御するタイミングを調整する無線通信装置及び方法に関する。
【背景技術】
【０００２】
従来、携帯電話等の使用中に、電波の受信レベルが変動するフェージング等の影響により、通信に必要な受信品質を維持できない場合がある。このような状況を改善するために、例えば、アンテナを複数系統備え、電波状況の優れた方のアンテナを優先的に利用して通話の安定性を高めるダイバーシティ送受信を行う、例えば「携帯無線端末装置」（特許文献１参照）が知られている。
従来の「携帯無線端末装置」においては、受信レベル等を取得して得られた情報を、ダイバーシティ送受信におけるダイバーシティ方式の切り替えやアンテナ選択等の制御に利用しているが、このような制御を行う必要のない、例えば、受信品質が良い状況等においても、常に同じ頻度で受信レベルを取得すると共に制御を行っているため、端末装置は多くの電力を消費していた。
【０００３】
そこで、消費電力を低減することを目的とし、ユーザが通信を行うために端末装置を使用するときの筐体の開閉状態に応じて、ダイバーシティ方式を選択し、選択後に受信レベルに基づくアンテナ選択を行う、例えば「携帯無線端末」（特許文献２参照）が提案されている。
【特許文献１】特開２０００−１８３７９３号公報
【特許文献２】特開２００５−２４４２６０号公報
【発明の開示】
【発明が解決しようとする課題】
【０００４】
しかしながら、従来の「携帯無線端末」（特許文献２参照）では、筐体の開閉状態でダイバーシティの選択及び使用するアンテナの決定が行われるため、ユーザの通信時における使用状況、例えば、高速移動する車両等においてユーザが無線端末を使用しているような場合では、伝搬環境が頻繁に変化するため、伝搬環境の変化に対応することができずに必要な受信品質を維持することができない状況が発生してしまう虞がある。
この発明の目的は、複数のアンテナを備えた構造を有し、ユーザの通信時における使用状況の如何に拘わらず、必要な受信品質を維持しつつ消費電力を低減することができる無線通信装置及び方法を提供することである。
【課題を解決するための手段】
【０００５】
上記目的を達成するため、この発明に係る無線通信装置は、第１筐体、及び当該第１筐体に対し開閉自在に連結された第２筐体を備え、前記第１筐体及び前記第２筐体のそれぞれに１個以上設置された複数のアンテナを有する無線通信装置において、前記第１筐体と前記第２筐体の開閉動作に基づく筐体状態を検出する筐体状態検出部と、無線信号の受信及び／または送信において、前記複数のアンテナの少なくとも一つを制御するアンテナ制御部と、前記筐体状態検出部において検出された筐体状態に応じ、前記アンテナ制御部における受信制御タイミングを調整するタイミング調整部とを有することを特徴としている。
【０００６】
また、この発明において、前記複数のアンテナを介して受信された無線信号の品質に関する情報を取得する受信品質取得部を更に備え、前記タイミング調整部は、前記受信品質取得部において取得された受信品質情報に基づいて前記制御タイミングを調整することが好ましい。
また、この発明において、前記タイミング調整部は、受信開始時、前記筐体状態検出部において検出された筐体状態に応じて初期制御タイミングを設定し、受信開始後、前記受信品質取得部において取得された受信品質情報に基づき前記初期制御タイミングを調整することが好ましい。
【０００７】
また、この発明において、前記受信品質取得部において取得された受信品質情報に基づき、前記アンテナ制御部による制御を行うか否かを判定する判定部を有し、前記判定部における判定結果から、前記アンテナ制御部が制御を行う場合、前記タイミング調整部において調整された制御タイミングで制御を行うことが好ましい。
また、この発明において、前記判定部は、前記受信品質情報を示す値が、受信品質の改善効果が得られる品質改善区間にある場合、前記アンテナ制御部による制御を行うことが好ましい。
また、この発明において、前記品質改善領域は、受信データから判定された通信種別に応じて設定されることが好ましい。
【０００８】
また、この発明において、前記アンテナ制御部は、ダイバーシティ受信及びダイバーシティ送信の少なくとも一方を制御することが好ましい。
上記目的を達成するため、この発明に係る無線通信方法は、第１筐体及び当該第１筐体に対し開閉自在に連結された第２筐体を備え、前記第１筐体及び前記第２筐体のそれぞれに１個以上設置された複数のアンテナを介して無線通信する無線通信方法において、前記第１筐体と前記第２筐体の開閉動作に基づく筐体状態を検出する処理と、無線信号の受信及び／または送信において、前記複数のアンテナの少なくとも一つを制御する処理と、検出した筐体状態に応じ、受信制御タイミングを調整する処理とを有することを特徴としている。
【発明の効果】
【０００９】
この発明によれば、複数のアンテナを備えた構造を有する無線通信装置において、ユーザの通信時における使用状況の如何に拘わらず、必要な受信品質を維持しつつ消費電力を低減することができる。
【発明を実施するための最良の形態】
【００１０】
以下、この発明を実施するための最良の形態について図面を参照して説明する。
図１は、この発明の一実施の形態に係る無線通信装置の概略構成を示すブロック図である。図２は、図１の筐体を概略的に示す斜視図である。
図１に示すように、無線通信装置である携帯端末装置（無線携帯端末）１０は、アンテナ部１１、アンテナ制御部１２、通信監視部１３、判定部１４、筐体状態検出部１５、及びタイミング調整部１６を有しており、また、図示しないが、各種情報の入力処理を行う各種操作キー等の入力部や、映像や字幕等を液晶ディスプレイ等の表示画面に表示する表示部を有している。
【００１１】
この携帯端末装置１０は、図２に示すように、共に平板状の第１筐体１７ａと第２筐体１７ｂを有しており、両筐体１７ａ、１７ｂは、互いに開閉（図中、矢印参照）するように、それぞれの一端部がヒンジ部１８を介して相互回動自在に接続されている。つまり、携帯端末装置１０は、両筐体１７ａ、１７ｂが離反して一直線状態になる開状態から、両筐体１７ａ、１７ｂが接近し重なり合う閉状態に、容易に変化させることができる折り畳み構造を有している。
なお、携帯端末装置１０は、本実施の形態における折り畳み構造に限るものではなく、両筐体１７ａ、１７ｂが相互に一直線上に摺動して開閉するスライド構造、或いは相互に９０度平面回転して開閉するリボルバー構造を有するものでも良い。
【００１２】
アンテナ部１１は、第１筐体１７ａと第２筐体１７ｂに１個以上設置された複数のアンテナから構成されており、例えば、第１筐体１７ａに設置された２個のアンテナ１１ａ、１１ｂと、第２筐体１７ｂに設置された１個のアンテナ１１ｃの３個を有している。
アンテナ制御部１２は、判定部１４から入力されたアンテナ制御パラメータに基づいてアンテナの制御を行う。ここで、アンテナの制御とは、例えば、合成ダイバーシティや選択ダイバーシティの各種パラメータ、アンテナ部１１における各アンテナ１１ａ〜１１ｃの位置、各アンテナ１１ａ〜１１ｃの角度等、アンテナに関する各種調整を行うことである。本実施の形態では、判定部１４からアンテナ制御パラメータ（アンテナ選択信号）が入力すると、アンテナ制御部１２は、アンテナの制御（以下、アンテナ調整と記載）として、アンテナ部１１の複数のアンテナの中から実際に通信に利用するアンテナを選択する処理等を行う。
【００１３】
つまり、アンテナ制御部１２は、無線信号の受信及び／または送信において、複数のアンテナ１１ａ，１１ｂ，１１ｃの少なくとも一つを制御すると共に、ダイバーシティ受信及びダイバーシティ送信の少なくとも一方を制御する。
通信監視部１３は、常に通信の開始・終了をチェックしており、チェック結果を判定部１４に報告する。通信の開始・終了は、報知情報等の制御信号ではなく、実際にデータが送受信される場合の開始・終了タイミングを監視することで検出される。
判定部１４は、通信監視部１３と筐体状態検出部１５とタイミング調整部１６からの情報に基づいて、アンテナ調整を実行するか否かを判定し、アンテナ調整を実行する場合、アンテナ制御部１２に調整指示をするために、アンテナ制御パラメータ（アンテナ選択信号）を出力する。この判定部１４は、以下の機能を有している。
【００１４】
（１）通信状態であるか、非通信状態（報知情報等の間欠受信時を含む）であるかを通信監視部１３からの情報をもとに判断する。非通信状態である場合は、アンテナ制御部１２にいかなる信号も送らない、即ち、アンテナ調整の指示を出さない。
（２）通信監視部１３から通信開始の報告を受けたときに初めて端末状態を検出して、予め用意しておいた計算式・テーブルを用いてアンテナ制御パラメータを取得し、アンテナ制御部１２にアンテナ制御パラメータを出力することで指示を出す。このとき、予め計算式・テーブルを用意せず、アンテナパラメータを試行的に変化させ、適したパラメータを取得しても良い。若しくは、本実施の形態におけるアンテナ切り替え順序を決定しておき、その順番で１回の繰り返し毎に変えていく方法でも良い。
【００１５】
本実施の形態におけるアンテナ切り替え順序を決定しておく場合では、あるパターンの品質が悪ければ、１回の繰り返しで次のパターンに移行する。折り畳み式の携帯端末装置１０（図２参照）において、３本のアンテナの中から２本のアンテナを選び、且つ、筐体の開き角度と通信品質によりアンテナ組み合わせを選択する場合、両筐体１７ａ，１７ｂの開き角度が０°以上６０°未満と６０°以上１８０°未満で、受信品質を満たすか満たさないかにより、判定部１４が出力するアンテナ制御パラメータにおけるアンテナの組み合わせや、アンテナ制御パラメータに出力する際のアンテナの組み合わせの順序が変わる。
【００１６】
図３は、筐体の開き角度と受信品質に応じたアンテナの選択組み合わせを一覧で示すテーブルの説明図である。図３に示すように、
両筐体１７ａ，１７ｂの開閉角度θ［°］が０≦θ＜６０°の場合、
受信品質を満たせばアンテナの組み合わせは変更無しで、受信品質を満たさなければアンテナの組み合わせを（１１ｂ，１１ｃ）→（１１ａ，１１ｂ）の順に試す。
両筐体１７ａ，１７ｂの開閉角度θ［°］が６０°≦θ＜１８０°の場合、
受信品質を満たせばアンテナの組み合わせは変更無しで、受信品質を満たさなければアンテナの組み合わせを（１１ａ，１１ｃ）→（１１ｂ，１１ｃ）→（１１ａ，１１ｂ）の順に試す。
【００１７】
（３）以下に示すような場合も、アンテナ制御部１２に信号を送らない、即ち、アンテナ調整の指示を出さない。
１．受信品質が予め決定しておいた品質の閾値より大きい場合。この閾値は、通信データの種別が音声の場合は小さく、一般のデータの場合は大きく設定する。
２．アンテナ切り替え頻度が基準値より大きい場合。これは、いくら調整しても性能が改善しない場合や、アンテナ調整がいつまで経っても終わらないような場合、調整が何度も繰り返されるのを防ぐためである。アンテナ切り替え頻度が基準値より大きいとは、予め設定される所定回数の内のアンテナが切り替えられた回数が、一定の割合を示す基準値より大きいことを意味する。
【００１８】
３．アンテナの相関値が測定時に基準回以上連続して、基準値より大きくなった場合。これは、見通し通信でアンテナ相関値が常に高い場合を想定している。
４．アンテナの受信電力が、測定時に基準回数以上連続して基準値より小さくなった場合。これは、携帯端末装置１０がセルエッジ等に位置する場合で受信電力が常に小さい状態を想定している。
（４）アンテナ調整の後、タイミング調整部１６で算出された時間だけ何もせずに待つ。
【００１９】
このように、判定部１４は、後述する受信品質取得部２０が取得した受信品質情報（受信品質を示す値）に基づき、アンテナ制御部１２による制御を行うか否かを判定する。この判定結果から、アンテナ制御部１２による制御を行う場合、タイミング調整部１６が調整した制御タイミングで制御を行う。そして、判定部１４は、受信品質情報に基づく受信品質が、受信品質の改善効果が得られる品質改善領域にある場合、アンテナ制御部１２による制御を行う。この品質改善領域は、受信データから判定された通信種別に応じて設定され、後述する第１の閾値Ａと第２の閾値Ｆの範囲として規定される。
【００２０】
筐体状態検出部１５は、開閉状態検出部１９及び受信品質取得部２０を有しており、第１筐体１７ａと第２筐体１７ｂの開閉動作に基づく筐体状態を検出する。つまり、筐体状態検出部１５は、筐体１７の変化（開閉）状態、通信データの種別、通信品質、アンテナ受信レベル、アンテナ間受信信号の相関値等、両筐体１７ａ，１７ｂの現在状態を検出して、検出した両筐体１７ａ，１７ｂの状態に関する情報を、判定部１４及びタイミング調整部１６へ出力する。
【００２１】
開閉状態検出部１９は、通信開始時に、アンテナの制御を行うタイミング（時間間隔）を調整するために用いる情報として、第１筐体１７ａと第２筐体１７ｂの開閉状態を検出する。受信品質取得部２０は、開閉状態検出部１９によって検出された両筐体１７ａ，１７ｂの開閉状態に基づく情報を用いて、アンテナの制御及びタイミングの調整を実行した後、このタイミング経過後に行われるタイミングを調整するために利用する受信品質情報、即ち、複数のアンテナを介して受信した信号の品質に関する情報を、取得する。
【００２２】
タイミング調整部１６は、両筐体１７ａ，１７ｂの現在状態に応じてアンテナ調整間隔時間を取得し、アンテナ制御部１２による受信制御タイミングを調整する。つまり、タイミング調整部１６は、受信開始時、筐体状態検出部１５が検出した筐体状態に応じて初期制御タイミングを設定し、受信開始後、受信品質取得部２０で取得した受信品質情報に基づき初期制御タイミングを調整する。
タイミング調整部１６におけるアンテナ調整間隔時間の取得は、以下に示す（Ａ）と（Ｂ）の項目の全て若しくは一部を用いて行う。
【００２３】
（Ａ）アンテナ調整間隔時間を小さく設定する場合
１．携帯端末装置１０における両筐体１７ａ，１７ｂの変化（開閉）状態に応じてアンテナ間距離が変わるため、アンテナ間距離が近くなる変化が生じた場合。例えば、折り畳み式の携帯端末装置１０において、両筐体１７ａ，１７ｂにそれぞれアンテナが設置されている場合、アンテナ調整間隔時間を、両筐体１７ａ，１７ｂが開いているときは大きくし、両筐体１７ａ，１７ｂが閉じているときは小さくする。これは、両筐体１７ａ，１７ｂが開いているときの方がアンテナ間距離が大きい（遠い）のでアンテナの相関が低くなり、品質が良くなることが多いためである。
【００２４】
２．必要受信品質を満たしていない場合。このとき、通信データが音声であれば、一般のデータに比べて重要度が低く再送等を行う必要が無いため、一般のデータに比べて必要受信品質を低く設定する。
３．アンテナ受信レベルが基準値以下の場合。基準値は、予め設定しても良いし他のパラメータから算出しても良い。
４．各アンテナ間の受信信号の相関値が基準値以上の場合。基準値は、予め設定しても良いし他のパラメータから算出しても良い。
【００２５】
（Ｂ）アンテナ調整間隔時間を大きく設定する場合
１．携帯端末装置１０における両筐体１７ａ，１７ｂが開いている場合。
２．アンテナ切り替え頻度が基準値より大きい場合。
３．アンテナの相関値が、測定時に基準回以上連続して基準値より大きくなった場合。
４．アンテナの受信電力が、測定時に基準回以上連続して基準値より小さくなった場合。
次に、アンテナの制御を行うタイミングとアンテナ調整を行うために利用する、筐体状態（筐体の開閉角度）に関連する各種テーブルについて説明する。
【００２６】
ここでは、アンテナの制御として、３本のアンテナから２本のアンテナを選ぶアンテナ選択ダイバーシティを行うが、アンテナの選択に際しては、両筐体１７ａ，１７ｂにおけるアンテナ間の距離が遠い順に試してゆく。
図４は、図１の携帯端末装置におけるアンテナ構成をアンテナ間距離と共に示す説明図である。図４に示すように、第１筐体１７ａに設置したアンテナ１１ａの位置から、第１筐体１７ａに設置したアンテナ１１ｂの位置迄の距離をｘ、アンテナ１１ｂの位置から第２筐体１７ｂに設置したアンテナ１１ｃの位置迄の距離をｙ、アンテナ１１ｃの位置Ｃからアンテナ１１ａの位置迄の距離をｚとする。
【００２７】
図５は、筐体の開閉角度θが０度から６０度未満（０°≦θ＜６０°）である場合のアンテナ間、その距離、タイミング調整の時間間隔を一覧で示すテーブル１の説明図である。図５に示すように、アンテナ１１ａ，１１ｂ間の場合、距離ｘ１、時間間隔ａ１となり、アンテナ１１ｂ，１１ｃ間の場合、距離ｙ１、時間間隔ｂ１となり、アンテナ１１ｃ，１１ａ間の場合、距離ｚ１、時間間隔ｃ１となる。但し、ｙ１＞ｘ１＞ｚ１，ｂ１＞ａ１＞ｃ１である。
従って、筐体の開閉角度θが０度から６０度未満（０°≦θ＜６０°）である場合、ｙ１＞ｘ１＞ｚ１なので、（１１ｂ，１１ｃ）→（１１ａ，１１ｂ）→（１１ｃ，１１ａ）の順にアンテナの選択を行う。
【００２８】
図６は、筐体の開閉角度θが６０度から１８０度未満（６０°≦θ＜１８０°）である場合のアンテナ間、距離、時間間隔を一覧で示すテーブル２の説明図である。図６に示すように、アンテナ１１ａ，１１ｂ間の場合、距離ｘ１、時間間隔ａ１となり（開閉によって変化しない）、アンテナ１１ｂ，１１ｃ間の場合、距離ｙ２、時間間隔ｂ２となり、アンテナ１１ｃ，１１ａ間の場合、距離ｚ２、時間間隔ｃ２となる。但し、ｚ２＞ｙ２＞ｘ１，ｃ２＞ｂ２＞ａ１である。
従って、筐体の開閉角度θが６０度から１８０度未満（６０°≦θ＜１８０°）である場合、ｚ２＞ｙ２＞ｘ１なので、（１１ｃ，１１ａ）→（１１ｂ，１１ｃ）→（１１ａ，１１ｂ）の順にアンテナの選択を行う。
【００２９】
図７は、筐体の状態（筐体の開閉角度θ）に対応するアンテナ調整（組み合わせ）、タイミング調整の時間間隔を一覧で示す初期設定用テーブルの説明図である。
図７に示すように、筐体の状態（筐体の開閉角度θ）が０度から６０度未満（０°≦θ＜６０°）である場合、アンテナ調整（組み合わせ）は、アンテナ１１ｂとアンテナ１１ｃを対象とし、時間間隔はｂ１となる。筐体の状態（筐体の開閉角度θ）が６０度から１８０度未満（６０°≦θ＜１８０°）である場合、アンテナ調整（組み合わせ）は、アンテナ１１ｃとアンテナ１１ａを対象とし、時間間隔はｃ２となる。
【００３０】
次に、筐体の開閉角度θに対応し、受信品質Ｑと設定された閾値の関係において行われる、アンテナ調整（組み合わせ）、時間間隔調整１、及び時間間隔調整２について説明する。
図８は、筐体の開閉角度θが０度から６０度未満（０°≦θ＜６０°）の場合の、筐体の状態（筐体の開閉角度θ）に対応する、受信品質Ｑ、アンテナ調整（組み合わせ）、時間間隔調整１、時間間隔調整２を一覧で示す調整用テーブルの説明図である。
図９は、筐体の開閉角度θが６０度から１８０度未満（６０°≦θ＜１８０°）の場合の、筐体の状態（筐体の開閉角度θ）に対応する、受信品質Ｑ、アンテナ調整（組み合わせ）、時間間隔調整１、時間間隔調整２を一覧で示す調整用テーブルの説明図である。
【００３１】
時間間隔の調整は、以下の三つのパターンの何れかを選択して行う。
（１）時間間隔調整１：時間間隔を受信品質に対応させる
（２）時間間隔調整２：時間間隔を選択したアンテナの組み合わせに対応させる
（３）（１）時間間隔調整１と（２）時間間隔調整２を組み合わせる
ここで、受信品質Ｑは、第１の閾値Ａ、第２の閾値Ｆ、及び第１の閾値Ａと第２の閾値Ｆの間で段階的に設定された調整閾値Ｂ，Ｃ，Ｄ，Ｅにより、場合分けされており、時間間隔調整１は、初期設定の時間間隔Ｔに間隔調整時間（ｔ１〜ｔ５：ｔ２＞ｔ３，ｔ１＞ｔ５＞ｔ４）による間隔調整を行った時間間隔で行われる。
【００３２】
図８に示すように、筐体の開閉角度θが０度から６０度未満（０°≦θ＜６０°）であると、
受信品質Ｑが、第１の閾値Ａに満たない、即ち、受信品質が悪い（Ｑ＜Ａ）場合、アンテナ調整（組み合わせ）はしないで、時間間隔調整１の場合は、初期設定の時間間隔Ｔに第１調整時間ｔ１を加えた（Ｔ＋ｔ１）時間間隔で調整を行い、時間間隔調整２の場合は、最大時間間隔（Ｍ）で調整を行う。
【００３３】
受信品質Ｑが、第１の閾値Ａから調整閾値Ｂ未満（Ａ≦Ｑ＜Ｂ）である場合、調整閾値Ｂから調整閾値Ｃ未満（Ｂ≦Ｑ＜Ｃ）である場合、調整閾値Ｃから調整閾値Ｄ未満（Ｃ≦Ｑ＜Ｄ）である場合、調整閾値Ｄから調整閾値Ｅ未満（Ｄ≦Ｑ＜Ｅ）である場合、調整閾値Ｅから第２の閾値Ｆ未満（Ｅ≦Ｑ＜Ｆ）である場合、何れにおいても、アンテナ調整（組み合わせ）は、（１１ｂ，１１ｃ）→（１１ａ，１１ｂ）→（１１ｃ，１１ａ）→（１１ｂ，１１ｃ）→…の順番で、調整毎に一つずつ選択して行う。
【００３４】
時間間隔調整１は、受信品質Ｑに応じて行われ、受信品質Ｑが、
第１の閾値Ａから調整閾値Ｂ未満（Ａ≦Ｑ＜Ｂ）である場合、初期設定の時間間隔Ｔから間隔調整時間ｔ２を減じた（Ｔ−ｔ２）時間間隔で、
調整閾値Ｂから調整閾値Ｃ未満（Ｂ≦Ｑ＜Ｃ）である場合、初期設定の時間間隔Ｔから間隔調整時間ｔ３を減じた（Ｔ−ｔ３）時間間隔で、
調整閾値Ｃから調整閾値Ｄ未満（Ｃ≦Ｑ＜Ｄ）である場合、初期設定の時間間隔Ｔで、
【００３５】
調整閾値Ｄから調整閾値Ｅ未満（Ｄ≦Ｑ＜Ｅ）である場合、初期設定の時間間隔Ｔに間隔調整時間ｔ４を加えた（Ｔ＋ｔ４）時間間隔で、
調整閾値Ｅから第２の閾値Ｆ未満（Ｅ≦Ｑ＜Ｆ）である場合、初期設定の時間間隔Ｔに間隔調整時間ｔ５を加えた（Ｔ＋ｔ５）時間間隔で、
それぞれ行う。
【００３６】
また、時間間隔調整２は、受信品質Ｑが、第１の閾値Ａから調整閾値Ｂ未満（Ａ≦Ｑ＜Ｂ）である場合、調整閾値Ｂから調整閾値Ｃ未満（Ｂ≦Ｑ＜Ｃ）である場合、調整閾値Ｃから調整閾値Ｄ未満（Ｃ≦Ｑ＜Ｄ）である場合、調整閾値Ｄから調整閾値Ｅ未満（Ｄ≦Ｑ＜Ｅ）である場合、調整閾値Ｅから第２の閾値Ｆ未満（Ｅ≦Ｑ＜Ｆ）である場合、何れにおいても、選択したアンテナの組み合わせに対応する時間間隔（ａ１，ｂ１，ｃ１）を設定して行う。
【００３７】
受信品質Ｑが第２の閾値Ｆ以上である、即ち、受信品質が良い（Ｆ≦Ｑ）場合、アンテナ調整（組み合わせ）はしないで、時間間隔調整１の場合、初期設定の時間間隔Ｔに第１調整時間ｔ１を加えた（Ｔ＋ｔ１）時間間隔で調整を行い、時間間隔調整２の場合、最大時間間隔（Ｍ）で調整を行う。
【００３８】
図９に示すように、筐体の開閉角度θが６０度から１８０度未満（６０°≦θ＜１８０°）であると、
受信品質Ｑが、第１の閾値Ａに満たない（Ｑ＜Ａ）場合、アンテナ調整（組み合わせ）はしないで、時間間隔調整１の場合、初期設定の時間間隔Ｔに第１調整時間ｔ１を加えた（Ｔ＋ｔ１）時間間隔で調整を行い、時間間隔調整２の場合、最大調整間隔（Ｍ）で調整を行う。
【００３９】
受信品質Ｑが、第１の閾値Ａから調整閾値Ｂ未満（Ａ≦Ｑ＜Ｂ）である場合、調整閾値Ｂから調整閾値Ｃ未満（Ｂ≦Ｑ＜Ｃ）である場合、調整閾値Ｃから調整閾値Ｄ未満（Ｃ≦Ｑ＜Ｄ）である場合、調整閾値Ｄから調整閾値Ｅ未満（Ｄ≦Ｑ＜Ｅ）である場合、調整閾値Ｅから第２の閾値Ｆ未満（Ｅ≦Ｑ＜Ｆ）である場合、何れにおいても、アンテナ調整（組み合わせ）は、（１１ｃ，１１ａ）→（１１ｂ，１１ｃ）→（１１ａ，１１ｂ）→（１１ｃ，１１ａ）→…の順番で、調整毎に一つずつ選択して行う。
【００４０】
時間間隔調整１は、受信品質Ｑに応じて行われ、受信品質Ｑが、
第１の閾値Ａから調整閾値Ｂ未満（Ａ≦Ｑ＜Ｂ）である場合、初期設定の時間間隔Ｔから間隔調整時間ｔ２を減じた（Ｔ−ｔ２）時間間隔で、
調整閾値Ｂから調整閾値Ｃ未満（Ｂ≦Ｑ＜Ｃ）である場合、初期設定の時間間隔Ｔから間隔調整時間ｔ３を減じた（Ｔ−ｔ３）時間間隔で、
【００４１】
調整閾値Ｃから調整閾値Ｄ未満（Ｃ≦Ｑ＜Ｄ）である場合、初期設定の時間間隔Ｔで、
調整閾値Ｄから調整閾値Ｅ未満（Ｄ≦Ｑ＜Ｅ）である場合、初期設定の時間間隔Ｔに間隔調整時間ｔ４を加えた（Ｔ＋ｔ４）時間間隔で、
調整閾値Ｅから第２の閾値Ｆ未満（Ｅ≦Ｑ＜Ｆ）である場合、初期設定の時間間隔Ｔに間隔調整時間ｔ５を加えた（Ｔ＋ｔ５）時間間隔で、
それぞれ行う。
【００４２】
また、時間間隔調整２は、受信品質Ｑが、第１の閾値Ａから調整閾値Ｂ未満（Ａ≦Ｑ＜Ｂ）である場合、調整閾値Ｂから調整閾値Ｃ未満（Ｂ≦Ｑ＜Ｃ）である場合、調整閾値Ｃから調整閾値Ｄ未満（Ｃ≦Ｑ＜Ｄ）である場合、調整閾値Ｄから調整閾値Ｅ未満（Ｄ≦Ｑ＜Ｅ）である場合、調整閾値Ｅから第２の閾値Ｆ未満（Ｅ≦Ｑ＜Ｆ）である場合、何れにおいても、選択したアンテナの組み合わせに対応する時間間隔（ａ１，ｂ２，ｃ２）を設定して行う。
【００４３】
受信品質Ｑが第２の閾値Ｆ以上（Ｆ≦Ｑ）である場合、アンテナ調整（組み合わせ）はしないで、時間間隔調整１の場合、初期設定の時間間隔Ｔに第１調整時間ｔ１を加えた（Ｔ＋ｔ１）時間間隔で調整を行い、時間間隔調整２の場合、最大時間間隔（Ｍ）で調整を行う。
【００４４】
図１０は、アンテナ制御における時間間隔調整を行う時間と受信品質との関係を概念的に示す説明図である。図１０に示すように、受信品質を横軸に、時間間隔調整を行う時間（調整間隔時間）を縦軸にして表した場合、閾値Ｆ迄の受信品質が良い状態においては、調整間隔時間は長いまま維持されているが、閾値Ｆを越えて受信品質が悪化する閾値Ａ迄の受信品質の改善効果が得られる品質改善領域においては、アンテナ調整が頻繁に行われるため調整間隔時間は徐々に短くなる。その後、受信品質が閾値Ａを越えて受信品質が悪い状態になると、調整間隔時間はやや長くなった状態で維持される。
【００４５】
つまり、受信品質が良い閾値Ｆ迄の範囲ｘ１と、閾値Ａを越えた受信品質が悪い範囲ｘ２では、アンテナ制御部１２に信号を送らない条件に当てはまるので、アンテナ切り替えは殆ど起こらない。これは、受信品質が悪い場合は、処理を行うタイミング（時間間隔）を小さくして制御を行ったとしても受信品質の改善が見込めず、また、受信品質が良い場合は、アンテナを制御する必要が無いためである。
【００４６】
次に、携帯端末装置１０におけるアンテナ制御動作の基本的な流れを、判定部１４と他の機能部との間の動作によって説明する。ここでは、アンテナの制御として、３本のアンテナの中から２本のアンテナを選ぶアンテナ選択ダイバーシティを行う。
携帯端末装置１０において、通信監視部１３が通信の開始を検出し、非通信状態から通信状態に遷移したと判定部１４が判断した場合、主処理を開始する。一方、主処理中（通信中）に、通信監視部１３が通信の終了を検出し、通信状態から非通信状態に遷移したと判定部１４が判断した場合、直ぐに主処理を中止する。以下、携帯端末装置１０が、非通信状態から通信状態へ「通信開始検出」により遷移し、通信状態にある場合の主処理の流れを示す。
なお、アンテナ制御部１２、判定部１４、及びタイミング調整部１６は、上述した各種テーブルを保持、または、図１に示していない記憶部に各種テーブルを記憶させておくことで、参照できるものとする。
【００４７】
図１１は、図１の携帯端末装置における主処理の流れを示すフローチャートである。
図１１に示すように、先ず、筐体状態検出部１５により、携帯端末装置１０の両筐体１７ａ，１７ｂの開閉状態を検出する（ステップＳ１０１）。その後、判定部１４の判定により、アンテナ制御パラメータが出力され、当該パラメータを入力したアンテナ制御部１２は、両筐体１７ａ，１７ｂの開閉状態に基づく情報（開閉角度θ）と初期設定用テーブル（図７参照）を参照して、アンテナ制御の対象となるアンテナの制御（選択）を実行する（ステップＳ１０２）。
【００４８】
次に、タイミング調整部１６において、両筐体１７ａ，１７ｂの開閉状態に基づく情報と初期設定用テーブル（図７参照）を参照して、アンテナの制御を行うタイミング（初期制御タイミング）を調整（設定）する（ステップＳ１０３）。タイミングの調整後、調整したタイミングだけ待機し（ステップＳ１０４）、そのタイミングの経過後、受信品質取得部２０は、アンテナ選択処理（ステップＳ１０２）された状態における受信品質Ｑを取得する（ステップＳ１０５）。
【００４９】
次に、取得した受信品質Ｑに基づき、判定部１４は、アンテナの制御が必要か否かを判定する（ステップＳ１０６）。判定の結果、アンテナの制御が必要である（Ｙｅｓ）場合、アンテナ制御パラメータを出力し、アンテナ制御部１２は、受信品質Ｑに関する情報と時間間隔の調整を行う調整用テーブル（図８，９参照）を参照して、アンテナの制御（選択）を実行する（ステップＳ１０７）。アンテナの制御を実行した後、タイミング調整部１６は、受信品質Ｑに関する情報と時間間隔の調整を行う調整用テーブル（図８，９参照）を参照して、タイミングを調整する（ステップＳ１０８）。
【００５０】
一方、判定部１４において、ステップＳ１０６における判定の結果、アンテナの制御が必要でない（Ｎｏ）場合、アンテナ制御部１２に対してアンテナ制御パラメータを出力しない。次に、タイミング調整部１６は、受信品質Ｑに関する情報と時間間隔の調整を行う調整用テーブル（図８，９参照）を参照して、タイミング（時間間隔）を調整する（ステップＳ１０８）。
ステップＳ１０８においてタイミングを調整した後、携帯端末装置１０が通信状態にある間、ステップＳ１０４へ戻り、ステップＳ１０４〜ステップＳ１０８の処理を繰り返し実行する。なお、所定の期間毎にステップＳ１０１へ戻り、改めて、両筐体１７ａ，１７ｂの開閉状態を検出しても良い。
【００５１】
つまり、この発明に係る無線通信方法は、第１筐体１７ａ、及び第１筐体１７ａに対し開閉する第２筐体１７ｂを備え、第１筐体１７ａ及び第２筐体１７ｂのそれぞれに１個以上設置された複数のアンテナを介して無線通信する無線通信方法において、第１筐体１７ａと第２筐体１７ｂの開閉動作に基づく筐体状態を検出する処理と、無線信号の受信及び／または送信において、複数のアンテナの少なくとも一つを制御する処理と、検出した筐体状態に応じ、受信制御タイミングを調整する処理とを有している。
【００５２】
このように、無線通信装置１０は、二つの筐体の開閉状態に応じて、筐体に備える複数のアンテナ間の距離が変化すると、アンテナ間の信号の相関値が変化することから、この変化を把握するため、二つの筐体における、二つ折り形状の場合は開閉状態、スライド（摺動）形状の場合はスライド状態、リボルバー形状の場合は回動状態、即ち、二つの筐体の開閉状態を検出する。開閉状態は、閉じられた変化無し状態から開かれて最も変化した状態、例えば、スライド形状なら全くスライドしていない状態から、少しだけスライドさせた状態、更に完全にスライドさせた状態となり、この開閉状態は、複数のアンテナ間の受信信号の相関値から筐体状態を検出することにより、或いは筐体状態の変化をセンサ等により検出することにより、検出することができる。
【００５３】
二つの筐体の開閉状態に応じてアンテナ相関が変化し、アンテナ相関が小さい状況では受信品質が良くなることが多いことから、先ず、アンテナ相関が小さい状況では制御タイミング（時間間隔）を大きくし、一方、アンテナ相関が大きい状況では制御タイミングを小さくする。これにより、適切な時間間隔で、信号を送受信する動作に関する処理を行うことができ、通信装置の消費電力も低減することができる。
【００５４】
また、通信開始時における筐体の開閉状態に応じて、制御タイミングを設定するが、この始めに設定されるタイミングは、
予め設定されている、基準となるタイミングから筐体の開閉状態に応じて、一定量小さくするか大きくすることで調整する場合と、
所定の条件に該当する場合における、タイミングが最大の間隔か、最小の間隔か、に調整（設定）する。そして、この設定されているタイミングを、受信品質によって最適なタイミングに調整してゆく。
【００５５】
このアンテナの制御は、時間間隔（タイミング）毎に、必ず実行するのではなく、受信品質によって判定し、判定の結果、必要ならば実行することで、消費電力を低減することができる。
なお、本発明は、上述した実施の形態により説明したが、この実施の形態に限定されるものではない。従って、本発明の趣旨を逸脱することなく変更態様として実施するものも含むものである。
【図面の簡単な説明】
【００５６】
【図１】この発明の一実施の形態に係る無線通信装置の概略構成を示すブロック図である。
【図２】図１の筐体を概略的に示す斜視図である。
【図３】筐体の開き角度と受信品質に応じたアンテナの選択組み合わせを一覧で示すテーブルの説明図である。
【図４】図１の携帯端末装置におけるアンテナ構成をアンテナ間距離と共に示す説明図である。
【図５】筐体の開閉角度θが０度から６０度未満（０°≦θ＜６０°）である場合のアンテナ間、距離、時間間隔を一覧で示すテーブル１の説明図である。
【図６】筐体の開閉角度θが６０度から１８０度未満（６０°≦θ＜１８０°）である場合のアンテナ間、距離、時間間隔を一覧で示すテーブル２の説明図である。
【図７】筐体の状態（筐体の開閉角度θ）に対応するアンテナ調整（組み合わせ）、時間間隔を一覧で示す初期設定用テーブルの説明図である。
【図８】筐体の開閉角度θが０度から６０度未満（０°≦θ＜６０°）の場合の、筐体の状態（筐体の開閉角度θ）に対応する、受信品質Ｑ、アンテナ調整（組み合わせ）、時間間隔調整１、時間間隔調整２を一覧で示す調整用テーブルの説明図である。
【図９】筐体の開閉角度θが６０度から１８０度未満（６０°≦θ＜１８０°）の場合の、筐体の状態（筐体の開閉角度θ）に対応する、受信品質Ｑ、アンテナ調整（組み合わせ）、時間間隔調整１、時間間隔調整２を一覧で示す調整用テーブルの説明図である。
【図１０】アンテナ制御における時間間隔調整を行う時間と受信品質との関係を概念的に示す説明図である。
【図１１】図１の携帯端末装置における主処理の流れを示すフローチャートである。
【符号の説明】
【００５７】
１０  携帯端末装置
１１  アンテナ部
１１ａ，１１ｂ，１１ｃ  アンテナ
１２  アンテナ制御部
１３  通信監視部
１４  判定部
１５  筐体状態検出部
１６  タイミング調整部
１７ａ  第１筐体
１７ｂ  第２筐体
１８  ヒンジ部
１９  開閉状態検出部
２０  受信品質取得部
【図１】
2009267800.tif 000003
【図２】
2009267800.tif 000004
【図３】
2009267800.tif 000005
【図４】
2009267800.tif 000006
【図５】
2009267800.tif 000007
【図６】
2009267800.tif 000008
【図７】
2009267800.tif 000009
【図８】
2009267800.tif 000010
【図９】
2009267800.tif 000011
【図１０】
2009267800.tif 000012
【図１１】
2009267800.tif 000013